(57)【要約】【課題】各種電子機器に用いられるタッチパネルに関し、背面の表示素子の表示が見易く、確実な操作が可能なものを提供することを目的とする。【解決手段】下基板２上面に形成された弾性層５上面と上基板１下面の間に、流動パラフィンまたは低極性エーテルから形成された流動層７を設けることによって、弾性層５上面と上基板１下面の間には流動層７が充填され、気泡等の発生を防止できるため、タッチパネル背面の表示素子の表示が見易くなると共に、流動層７によって弾性層５上面と上導電層３下面の絶縁性が保たれるため、確実な電気的接離や操作が可能なタッチパネルを得ることができる。【選択図】図１
2013250836.tif 000002
【特許請求の範囲】
【請求項１】
下面に上導電層が形成された上基板と、上面に上記上導電層と所定の間隙を空けて対向する下導電層が形成された下基板からなり、上記下基板上面に樹脂内に複数の導電粒子が分散された弾性層を設けると共に、この弾性層上面と上記上基板下面の間に、流動パラフィンまたは低極性エーテルから形成された流動層を設けたタッチパネル。
【発明の詳細な説明】
【技術分野】
【０００１】
本発明は、主に各種電子機器の操作に用いられるタッチパネルに関するものである。
【背景技術】
【０００２】
近年、携帯電話や電子カメラ等の各種電子機器の高機能化や多様化が進むなか、液晶表示素子等の表示素子の前面に光透過性のタッチパネルを装着し、このタッチパネルを通して背面の表示素子の表示を見ながら、指やペン等でタッチパネルを押圧操作することによって、機器の様々な機能の切換えを行うものが増えており、使い易く確実な操作を行えるものが求められている。
【０００３】
このような従来のタッチパネルについて、図３を用いて説明する。
【０００４】
なお、この図面は構成を判り易くするために、部分的に寸法を拡大して表している。
【０００５】
図３は従来のタッチパネルの断面図であり、同図において、１はポリエチレンテレフタレート等のフィルム状で光透過性の上基板、２は同じく光透過性の下基板で、上基板１下面には酸化インジウム錫等の光透過性の上導電層３が、下基板２上面には同じく下導電層４が各々形成されている。
【０００６】
また、上導電層３の両端には銀やカーボン等の一対の上電極（図示せず）が、下導電層４の上導電層３とは直交方向の両端には、同じく一対の下電極（図示せず）が各々形成されている。
【０００７】
さらに、下基板２上面にはシリコーン等の樹脂５Ａ内に、ニッケル等の複数の導電粒子５Ｂが分散された光透過性の弾性層５が設けられると共に、この弾性層５上面に上基板１が貼付され、上導電層３と下導電層４が所定の間隙を空けて対向して、タッチパネルが構成されている。
【０００８】
そして、このように構成されたタッチパネルが、液晶表示素子等の表示素子の前面に配置されて電子機器に装着されると共に、一対の上電極と下電極が配線基板やコネクタ（図示せず）等を介して、機器の電子回路（図示せず）に電気的に接続される。
【０００９】
以上の構成において、タッチパネル背面の表示素子の表示を見ながら、所望の表示上の上基板１上面を指やペン等で押圧操作すると、上基板１が撓むと共に、この下方の弾性層５が弾性変形して、樹脂５Ａ内の複数の導電粒子５Ｂが接触し、押圧された箇所の上導電層３と下導電層４が、これらの導電粒子５Ｂを介して電気的に接続される。
【００１０】
そして、電子回路から上電極と下電極へ順次電圧が印加され、上導電層３両端及びこれと直交方向の下導電層４両端の電圧比によって、押圧された箇所を電子回路が検出し、機器の様々な機能の切換えが行われる。
【００１１】
つまり、タッチパネル背面の表示素子に、例えば複数のメニュー等が表示された状態で、所望のメニュー上の上基板１上面を押圧操作すると、上電極と下電極間の電圧比によって、この操作した位置を電子回路が検出し、複数のメニューの中から所望のメニューの選択等が行えるように構成されているものであった。
【００１２】
なお、この出願の発明に関連する先行技術文献情報としては、例えば、特許文献１が知られている。
【先行技術文献】
【特許文献】
【００１３】
【特許文献１】特開２００６−２３６９８８号公報
【発明の概要】
【発明が解決しようとする課題】
【００１４】
しかしながら、上記従来のタッチパネルにおいては、弾性層５上面に上基板１を貼り付ける際、弾性層５上面は微細な凹凸状となっているため、上基板１や上導電層３下面と弾性層５上面の間に微細な気泡が生じ、この気泡によってタッチパネル背面の表示素子の表示が、見づらくなってしまう場合があるという課題があった。
【００１５】
本発明は、このような従来の課題を解決するものであり、背面の表示素子の表示が見易く、確実な操作が可能なタッチパネルを提供することを目的とする。
【課題を解決するための手段】
【００１６】
上記目的を達成するために本発明は、下基板上面に形成された弾性層上面と上基板下面の間に、流動パラフィンまたは低極性エーテルから形成された流動層を設けてタッチパネルを構成したものであり、弾性層上面と上基板下面の間には流動層が充填され、気泡等の発生を防止できるため、タッチパネル背面の表示素子の表示が見易くなると共に、流動層によって弾性層上面と上導電層下面の絶縁性が保たれるため、確実な電気的接離や操作が可能なタッチパネルを得ることができるという作用を有するものである。
【発明の効果】
【００１７】
以上のように本発明によれば、背面の表示素子の表示が見易く、確実な操作が可能なタッチパネルを実現することができるという有利な効果が得られる。
【図面の簡単な説明】
【００１８】
【図１】本発明の一実施の形態によるタッチパネルの断面図
【図２】同部分断面図
【図３】従来のタッチパネルの断面図
【発明を実施するための形態】
【００１９】
以下、本発明の実施の形態について、図１及び図２を用いて説明する。
【００２０】
なお、これらの図面は構成を判り易くするために、部分的に寸法を拡大して表している。
【００２１】
また、背景技術の項で説明した構成と同一構成の部分には同一符号を付して、詳細な説明を簡略化する。
【００２２】
（実施の形態）
図１は本発明の一実施の形態によるタッチパネルの断面図であり、同図において、１はポリエチレンテレフタレートやポリエーテルサルホン、ポリカーボネート等のフィルム状で光透過性の上基板、２は同じくフィルム状またはガラス等の薄板状で光透過性の下基板で、上基板１下面には酸化インジウム錫や酸化錫等の光透過性の上導電層３が、下基板２上面には同じく下導電層４が各々、スパッタ法等によって形成されている。
【００２３】
そして、上導電層３の両端には銀やカーボン等の一対の上電極（図示せず）が、下導電層４の上導電層３とは直交方向の両端には、同じく一対の下電極（図示せず）が各々形成されている。
【００２４】
また、下基板２上面にはシリコーンやアクリル等の樹脂５Ａ内に、ニッケル等の複数の導電粒子５Ｂが分散された光透過性の弾性層５が設けられると共に、この弾性層５上面に上基板１の外周縁部が貼付され、上導電層３と下導電層４が所定の間隙を空けて対向している。
【００２５】
さらに、７は液状の流動層で、表面張力が２７〜４０ｍＮ／ｍの流動パラフィンまたは低極性エーテルから形成されると共に、この流動層７が弾性層５上面と上基板１や上導電層３下面の間に設けられて、タッチパネルが構成されている。
【００２６】
なお、このようなタッチパネルを製作するには、先ず、図２（ａ）の部分断面図に示すように、上面に下導電層４が形成された下基板２上面に、樹脂５Ａ内に複数の導電粒子５Ｂが分散された弾性層５を、塗布あるいは印刷等によって形成する。
【００２７】
次に、図２（ｂ）に示すように、この弾性層５上面に、流動パラフィンまたは低極性エーテルの液状の流動層７を塗布した後、この上に下面に上導電層３が形成された上基板１を載置すると、図２（ｃ）に示すように、流動層７が外方へ流動して、弾性層５上面と上基板１や上導電層３下面の間のほぼ全面に拡がる。
【００２８】
そして、最後に上基板１と下基板２の外周縁部を加熱しながら加圧することで、流動層７が弾性層５外周縁部の上面から流動し、上基板１の外周縁部が弾性層５上面に貼付されると共に、弾性層５上面と上基板１や上導電層３下面の間に流動層７が充填されて、図１に示したようなタッチパネルが完成する。
【００２９】
また、このように構成されたタッチパネルが、液晶表示素子等の表示素子の前面に配置されて電子機器に装着されると共に、一対の上電極と下電極が配線基板やコネクタ（図示せず）等を介して、機器の電子回路（図示せず）に電気的に接続される。
【００３０】
以上の構成において、タッチパネル背面の表示素子の表示を見ながら、所望の表示上の上基板１上面を指やペン等で押圧操作すると、上基板１が撓んで、この下面が弾性層５を押圧するため、弾性層５が弾性変形して、樹脂５Ａ内の複数の導電粒子５Ｂが接触し、押圧された箇所の上導電層３と下導電層４が、これらの導電粒子５Ｂを介して電気的に接続される。
【００３１】
そして、電子回路から上電極と下電極へ順次電圧が印加され、上導電層３両端及びこれと直交方向の下導電層４両端の電圧比によって、押圧された箇所を電子回路が検出し、機器の様々な機能の切換えが行われる。
【００３２】
つまり、タッチパネル背面の表示素子に、例えば複数のメニュー等が表示された状態で、所望のメニュー上の上基板１上面を押圧操作すると、上電極と下電極間の電圧比によって、この操作した位置を電子回路が検出し、複数のメニューの中から所望のメニューの選択等が行えるように構成されている。
【００３３】
そして、この時、本発明においては、下基板２上面に形成された弾性層５上面と上基板１下面の間に、流動パラフィンまたは低極性エーテルから形成された流動層７が設けられているため、タッチパネル背面の表示素子の視認性を損なうことなく、確実に操作を行うことが可能なようになっている。
【００３４】
すなわち、微細な凹凸状となっている弾性層５上面と、上基板１や上導電層３下面の間には流動層７が充填され、弾性層５上面に上基板１を貼り付ける際に、これらの間には視認性を損なう気泡等が生じないようになっているため、タッチパネル背面の表示素子の表示が見易くなり、操作を容易に行えるように構成されている。
【００３５】
また、上基板１上面を押圧操作していない状態では、樹脂５Ａ内に複数の導電粒子５Ｂが分散された弾性層５上面と、上基板１下面の上導電層３との間に充填された流動層７によって、弾性層５上面と上導電層３下面の間に所定の間隙が保たれるため、これらの間の絶縁性が確保され、確実な電気的接離が行えるようになっている。
【００３６】
さらに、弾性層５上面と上基板１下面の間に設けられた流動層７が、表面張力が２７〜４０ｍＮ／ｍの流動パラフィンまたは低極性エーテルから形成されているため、弾性層５上面に上基板１の外周縁部を貼り付ける際、接着力を弱めることなく確実に貼付を行うことが可能なように構成されている。
【００３７】
つまり、流動層７に表面張力が１６〜２０ｍＮ／ｍのフッ素系の液体や、表面張力が１７〜２６ｍＮ／ｍのシリコーンオイル等を用いた場合、流動層７が塗布された弾性層５上面に上基板１を載置して、上基板１外周縁部を加熱しながら加圧して接着を行った際、これらの表面張力の小さな流動層７が貼合面に残り、充分な接着力が得られない場合がある。
【００３８】
これに対し、本発明のように表面張力が大きく流動性のよい、流動パラフィンや低極性エーテルを用いた場合には、上基板１外周縁部への加圧によって、流動層７が貼合面から流動すると共に、加熱によって貼合面に残った流動層７が蒸発、あるいは弾性層５内に分散され、貼合面には流動層７が殆んど残らず、また残ったとしても表面張力が大きなため、接着力を弱めることがないようになっている。
【００３９】
このように本実施の形態によれば、下基板２上面に形成された弾性層５上面と上基板１下面の間に、流動パラフィンまたは低極性エーテルから形成された流動層７を設けることによって、弾性層５上面と上基板１下面の間には流動層７が充填され、気泡等の発生を防止できるため、タッチパネル背面の表示素子の表示が見易くなると共に、流動層７によって弾性層５上面と上導電層３下面の絶縁性が保たれるため、確実な電気的接離や操作が可能なタッチパネルを得ることができるものである。
【００４０】
また、流動層７を表面張力が２７〜４０ｍＮ／ｍの、表面張力が大きく流動性のよい流動パラフィンまたは低極性エーテルから形成することで、弾性層５上面への上基板１外周縁部の貼り付けを、接着力を弱めることなく確実に行うことができる。
【産業上の利用可能性】
【００４１】
本発明によるタッチパネルは、背面の表示素子の表示が見易く、確実な操作が可能なものを得ることができるという有利な効果を有し、主に各種電子機器の操作用として有用である。
【符号の説明】
【００４２】
１  上基板
２  下基板
３  上導電層
４  下導電層
５  弾性層
５Ａ  樹脂
５Ｂ  導電粒子
７  流動層
【図１】
2013250836.tif 000003
【図２】
2013250836.tif 000004
【図３】
2013250836.tif 000005